(57)【要約】【課題】放電装置よりも風下に位置する場所において、放電音の音量を抑制することができる放電装置、放電装置の設置構造、及び放電装置を提供する。【解決手段】放電装置１００は、第１放電電極１と、支持部３とを備える。第１放電電極１は、放電する。支持部３は、第１放電電極１を支持する。支持部３は、被設置部材Ａに取り付け可能な取付面３ａを有する。取付面３ａに対する第１放電電極１の先端側部分１ｂの延びる方向の傾斜角度θ１が鋭角であり、又は、取付面３ａに対する第１放電電極１の先端部１ａの傾斜角度θ４が鋭角である。【選択図】図４
2019212380.tif 000002
【特許請求の範囲】
【請求項１】
外部から送られる風の気流中に放電する放電装置であって、
放電する放電電極と、
前記放電電極を支持する支持部と
を備え、
前記支持部は、被設置部材に取り付け可能な取付面を有し、
前記取付面に対する前記放電電極の先端側部分の延びる方向の傾斜角度が鋭角であり、又は、前記取付面に対する前記放電電極の先端部の傾斜角度が鋭角である、放電装置。
【請求項２】
所定空間内に送風するためのダクトの内部に設置される、請求項１に記載の放電装置。
【請求項３】
前記放電電極がストレート形状を有する、請求項１又は請求項２に記載の放電装置。
【請求項４】
前記放電電極は、屈曲する形状を有する、請求項１又は請求項２に記載の放電装置。
【請求項５】
風路部の内部に設置される放電装置の設置構造であって、
前記放電装置は、放電する放電電極を有し、
前記風路部の内部は、前記風路部の入口部から前記風路部の出口部に向かう風路方向に延びる形状を有し、
前記風路部の内部では、前記出口部に向かって風を流すことが可能であり、
前記放電電極の先端側部分が前記風路方向の入口部側に突出する、放電装置の設置構造。
【請求項６】
前記放電装置は、前記放電電極を支持する支持部をさらに有し、
前記風路方向において、前記放電電極の先端部が前記支持部と重ならない、請求項５に記載の放電装置の設置構造。
【請求項７】
風路部の内部に放電装置を設置する設置方法であって、
前記放電装置は、放電する放電電極を有し、
前記風路部の内部は、前記風路部の入口部から前記風路部の出口部に向かう風路方向に延びる形状を有し、
前記風路部の内部には、前記出口部に向かって風を流すことが可能であり、
前記放電電極の先端側部分が前記風路方向の入口部側に突出するように前記放電装置が前記風路部の内部に設置される、放電装置の設置方法。
【発明の詳細な説明】
【技術分野】
【０００１】
本発明は、放電装置、放電装置の設置構造、及び放電装置の設置方法に関する。
【背景技術】
【０００２】
従来、放電することでイオンを放出する装置は公知である。特許文献１に記載のマイナスイオン発生装置は、対向放電電極と、放電針電極とを備える。対向放電電極は、マイナスイオン風を発生する。放電針電極は、マイナスイオンを発生する。
【先行技術文献】
【特許文献】
【０００３】
【特許文献１】特開２００５−３０２６５６号公報
【発明の概要】
【発明が解決しようとする課題】
【０００４】
しかし、特許文献１に記載のマイナスイオン発生装置によれば、放電針電極の先端がマイナスイオン風の風下方向に向けて配置される。従って、放電針電極から出力される放電音がマイナスイオン風の風下方向に向けて送出される。その結果、マイナスイオン発生装置よりも風下に位置する場所において、放電音の音量が増大するおそれがあった。
【０００５】
本発明は、放電装置よりも風下に位置する場所において、放電音の音量を抑制することができる放電装置、放電装置の設置構造、及び放電装置の設置方法を提供する。
【課題を解決するための手段】
【０００６】
本発明の第１の局面によれば、放電装置は、外部から送られる風の気流中に放電する。放電装置は、放電電極と、支持部とを備える。放電電極は、放電する。支持部は、前記放電電極を支持する。前記支持部は、被設置部材に取り付け可能な取付面を有する。前記取付面に対する前記放電電極の先端側部分の延びる方向の傾斜角度が鋭角であり、又は、前記取付面に対する前記放電電極の先端部の傾斜角度が鋭角である。
【０００７】
本発明の第２の局面によれば、放電装置の設置構造において、風路部の内部に放電装置が設置される。前記放電装置は、放電電極を有する。放電電極は、放電する。前記風路部の内部は、前記風路部の入口部から前記風路部の出口部に向かう風路方向に延びる形状を有する。前記風路部の内部では、前記出口部に向かって風を流すことが可能である。前記放電電極の先端側部分が前記風路方向の入口部側に突出する。
【０００８】
本発明の第３の局面によれば、放電装置の設置方法は、風路部の内部に放電装置を設置する方法である。前記放電装置は、放電電極を有する。放電電極は、放電する。前記風路部の内部は、前記風路部の入口部から前記風路部の出口部に向かう風路方向に延びる形状を有する。前記風路部の内部では、前記出口部に向かって風を流すことが可能である。前記放電電極の先端側部分が前記風路方向の入口部側に突出するように前記放電装置が前記風路部の内部に設置される。
【発明の効果】
【０００９】
本発明によれば、放電装置よりも風下に位置する場所において、放電音の音量を抑制することができる。
【図面の簡単な説明】
【００１０】
【図１】本発明の実施形態に係る通信システムのブロック図である。
【図２】（ａ）は、放電装置の一部の平面図である。（ｂ）は、放電装置の一部の斜視図である。
【図３】イオン発生素子の回路構成を示す図である。
【図４】第１放電電極の形状を示す側面図である。
【図５】第２実施形態の放電装置を示す側面図である。
【図６】第３実施形態の放電装置を示す側面図である。
【図７】（ａ）は、第４実施形態の放電装置を示す側面図である。（ｂ）は、第１放電電極の先端部の拡大図である。
【図８】放電装置の設置構造を示す側面図である。
【図９】放電装置の設置構造の変形例を示す図である。
【発明を実施するための形態】
【００１１】
本発明の実施形態について、図面を参照しながら説明する。なお、図中、同一又は相当部分については同一の参照符号を付して説明を繰り返さない。
【００１２】
［第１実施形態］
図１から図２（ｂ）を参照して、本発明の第１実施形態に係る放電装置１００について説明する。図１は、第１実施形態の放電装置１００の側面である。図２（ａ）は、放電装置１００の一部の平面図である。図２（ｂ）は、放電装置１００の一部の斜視図である。
【００１３】
図１から図２（ｂ）に示すように、放電装置１００は、放電装置１００の外部から放電装置１００を通過するように送られる風の気流中に放電する。
【００１４】
また、放電装置１００は、放電することで、放電装置１００の外部から放電装置１００を通過するように送られる風の気流中にイオンを放出する。第１実施形態の放電装置１００は、放電装置１００の外部から放電装置１００を通過するように送られる風の流れを用いて、イオンを所望の場所へ送出する。つまり、イオンを所望の場所へ送出するための風は、放電装置１００自体が生成しない。その結果、放電装置１００がファンのような送風装置を備える不要がないので、放電装置１００をシンプルに構成することが可能になる。イオンは、正イオン、及び負イオンのうちの少なくとも１つを示す。
【００１５】
放電装置１００は、第１放電電極１と、第２放電電極２と、支持部３と、イオン発生素子４と、操作部６とを備える。
【００１６】
第１放電電極１及び第２放電電極２の各々は、針状の電極である。第１放電電極１及び第２放電電極２の各々は、例えば、導電性を有する金属で形成される。第１放電電極１は、放電することにより正イオンを放出する。第２放電電極２は、放電することにより負イオンを放出する。第１放電電極１及び第２放電電極２の各々は、支持部３から突出する。
【００１７】
第１放電電極１は、先端部１ａを有する。先端部１ａは、第１放電電極１のうち支持部３の外部に突出している側の端部である。先端部１ａは、第１放電電極１の軸芯に向かって先細りする形状を有する。第１放電電極１は、先端部１ａから放電することで、先端部１ａから正イオンを放出する。なお、第１放電電極１が放電する際、第１放電電極１の先端部１ａから雑音である第１放電音が放出される。
【００１８】
第２放電電極２は、先端部２ａを有する。先端部２ａは、第２放電電極２のうち支持部３の外部に突出している側の端部である。第２放電電極２は、先端部２ａから放電することで、先端部２ａから負イオンを放出する。なお、第２放電電極２が放電する際、第２放電電極２の先端部２ａから雑音である第２放電音が放出される。
【００１９】
第１放電電極１及び第２放電電極２の各々は、本発明の放電電極の一例である。
【００２０】
支持部３は、第１放電電極１と第２放電電極２とを支持する。
【００２１】
支持部３は、筐体３１と、介在部材３２とを有する。
【００２２】
筐体３１は、例えば、絶縁性の樹脂で形成されている。筐体３１には、第１放電電極１及び第２放電電極２の各々が取り付けられる。
【００２３】
介在部材３２は、例えば、樹脂で形成される。介在部材３２は、筐体３１と被設置部材Ａとの間に介在する。介在部材３２は、筐体３１に取り付けられる。介在部材３２は、筐体３１を被設置部材Ａに対して傾斜させつつ支持する。
【００２４】
支持部３は、取付面３ａを有する。取付面３ａは、介在部材３２のうち被設置部材Ａに取り付け可能な面を示す。取付面３ａが被設置部材Ａに取り付けられた状態で、放電装置１００が使用される。取付面３ａが被設置部材Ａに取り付けられた状態で、取付面３ａが被設置部材Ａの被取付面Ａ１に略平行に対向する。被取付面Ａ１は、被設置部材Ａのうち取付面３ａが取り付けられる面を示す。
【００２５】
第１実施形態では、介在部材３２の底部が取付面３ａを構成する。
【００２６】
イオン発生素子４は、第１放電電極１及び第２放電電極２の各々からイオンを放出させる。イオン発生素子４は、筐体３１に収容される。イオン発生素子４には、第１放電電極１及び第２放電電極２の各々が接続される。
【００２７】
イオン発生素子４には、電源コード（不図示）が接続される。イオン発生素子４には、電源コードを介して外部電力が供給される。その結果、イオン発生素子４が作動する。
【００２８】
操作部６は、放電装置１００に対する指示を受け付ける。作業者は、操作部６を操作して、例えば、放電装置１００の起動、第１放電電極１及び第２放電電極２の各々からのイオンの放出量の調整、及び放電装置１００の停止を行う。
【００２９】
次に、図３を参照して、イオン発生素子４について説明する。図３は、イオン発生素子４の回路構成を示す図である。
【００３０】
図３に示すように、イオン発生素子４は、第１ランド４１と、コンデンサ４２と、昇圧トランス４３と、トランジスタ４４と、第１ダイオード４５ａと、第２ダイオード４５ｂと、第１誘導電極４６ａと、第２誘導電極４６ｂとを有する。イオン発生素子４は、回路基板に設けられる。
【００３１】
コンデンサ４２は、第１ランド４１を介して供給される駆動電圧に基づいて一時的に充電を行なう。そして、コンデンサ４２は、駆動電圧を昇圧トランス４３に供給する。
【００３２】
昇圧トランス４３は、一次巻線４３ａと二次巻線４３ｂとを含む。昇圧トランス４３は、コンデンサ４２から供給された駆動電圧を昇圧する。そして、昇圧トランス４３は、駆動電圧を第１放電電極１と第２放電電極２とに印加する。
【００３３】
トランジスタ４４は、昇圧トランス４３を制御する。トランジスタ４４は、例えば、パッケージ化されたＭＯＳトランジスタを含む。
【００３４】
第１ダイオード４５ａは、電流を整流する。第１ダイオード４５ａのアノードが昇圧トランス４３の二次巻線４３ｂに接続されている。第１ダイオード４５ａのカソードが第１放電電極１に接続されている。
【００３５】
第２ダイオード４５ｂは、電流を整流する。第２ダイオード４５ｂのアノードが第２放電電極２に接続されている。第２ダイオード４５ｂのカソードが昇圧トランス４３の二次巻線４３ｂに接続されている。
【００３６】
第１誘導電極４６ａは、第１放電電極１の近傍に配置される。第１誘導電極４６ａは、第１放電電極１で放電が生じるように誘導する。第２誘導電極４６ｂは、第２放電電極２の近傍に配置される。第２誘導電極４６ｂは、第２放電電極２にて放電が生じるように誘電する。
【００３７】
コンデンサ４２が繰り返し充放電を行い、さらに、コンデンサ４２の充放電に同期させてトランジスタ４４のオン／オフ動作が切り替えられることにより、昇圧トランス４３の一次巻線４３ａにインパルス電圧が発生する。その結果、昇圧トランス４３の二次巻線４３ｂに正の高電圧パルスと負の高電圧パルスとが交互に発生する。
【００３８】
二次巻線４３ｂで発生した正の高電圧パルスは、第１ダイオード４５ａを介して第１放電電極１に印加される。二次巻線４３ｂで発生した負の高電圧パルスは、第２ダイオード４５ｂを介して第２放電電極２に印加される。従って、第１放電電極１の先端部１ａ（図１及び図２（ｂ）参照）でコロナ放電が発生する。その結果、第１放電電極１の先端部１ａから正イオンが放出される。また、第２放電電極２の先端部２ａ（図２（ｂ）参照）でコロナ放電が発生する。その結果、第２放電電極２の先端部２ａから負イオンが放出される。
【００３９】
コロナ放電によって生じた正イオンは、空気中の水分と結合する。そして、水分と結合した正イオンは、Ｈ+（Ｈ2Ｏ）を含み、電荷が正のクラスタイオンを形成する。また、コロナ放電によって生じた負イオンは、空気中の水分と結合する。そして、負イオンは、Ｏ2-（Ｈ2Ｏ）を含み、電荷が負のクラスタイオンを形成する。なお、第１放電電極１及び第２放電電極２の各々に印加される電圧及びパルス周期が変更されることによって、第１放電電極１及び第２放電電極２の各々から発生するイオンの量が調整される。イオンの量は、言い換えれば、イオンの濃度を示す。
【００４０】
図４を参照して、第１放電電極１の形状について説明する。図４は、第１放電電極１の形状を示す側面図である。
【００４１】
第２放電電極２は、第１放電電極１と同様の形状を有する。従って、以下の実施形態、及び変形例において第２放電電極２の説明は省略する。
【００４２】
図４は、仮想線Ｂを示す。仮想線Ｂは、取付面３ａに対して平行な仮想線である。
【００４３】
図４に示すように、第１放電電極１は、先端側部分１ｂをさらに有する。
【００４４】
先端側部分１ｂは、第１放電電極１のうち、先端部１ａ側に位置する部分である。取付面３ａに対する先端側部分１ｂの延びる方向の傾斜角度θ１が、鋭角である。つまり、傾斜角度θ１が、０°、及び９０°のいずれにもならない。先端側部分１ｂの延びる方向は、詳細には、先端側部分１ｂが先端部１ａに向かって延びる方向を示す。傾斜角度θ１は、本発明の取付面に対する放電電極の先端側部分の延びる方向の傾斜角度の一例である。傾斜角度θ１は、先端側部分１ｂの延びる方向が、取付面３ａとなす角度のうち小さい方の角度を示す。
【００４５】
第１実施形態では、第１放電電極１がストレート形状を有する。従って、先端側部分１ｂのみならず、第１放電電極１全体が取付面３ａに対して鋭角に傾斜している。
【００４６】
以上、図４を参照して説明したように、傾斜角度θ１が鋭角である。この場合、第１放電電極１が放電する際、第１放電電極１の先端部１ａから正イオンが放出される。さらに、第１放電電極１が放電する際、第１放電電極１の先端部１ａから、第１所定方向Ｃ１に指向性を有する第１放電音が放出される。第１所定方向Ｃ１は、先端側部分１ｂの延びる方向に沿いつつ、先端部１ａから離間する方向を示す。
【００４７】
また、図４において、放電装置１００を介して被設置部材Ａと対向する場所に対向部材Ｆが配置されている。そして、第１放電電極１の先端部１ａから放出された第１放電音が、対向部材Ｆ及び被設置部材Ａで反射しつつ進行する。従って、例えば、図４に示す矢印Ｄ方向に風が流れる場合、下流場所Ｅに向けて正イオンを風で送出しつつ、下流場所Ｅにおいて、第１放電音の音量を抑制することができる。下流場所Ｅは、放電装置１００よりも風下に位置する場所を示す。
【００４８】
また、図４に示すように、傾斜角度θ１を鋭角とした場合、傾斜角度θ１が大きくなる程、下流場所Ｅに正イオンを効果的に供給することができる。また、傾斜角度θ１を鋭角とした場合、傾斜角度θ１が小さくなる程、下流場所Ｅにおいて、第１放電音の音量を効果的に抑制することができる。
【００４９】
［第２実施形態］
図５を参照して、第２実施形態の放電装置１００について説明する。図５は、第２実施形態の放電装置１００を示す側面図である。
【００５０】
第２実施形態では、支持部３が介在部材３２を備えていない点が第１実施形態と異なる。以下では、主に、第１実施形態と異なる点を説明する。
【００５１】
図５に示すように、第２実施形態では、筐体３１の底部に取付面３ａが位置する。取付面３ａに対する先端側部分１ｂの延びる方向の傾斜角度θ１が、鋭角である。以上のように構成することで、第１実施形態の第１放電電極１と同様の効果を得ることができる。
【００５２】
［第３実施形態］
図６を参照して、第３実施形態の放電装置１００について説明する。図６は、第３実施形態の放電装置１００を示す側面図である。
【００５３】
第３実施形態では、第１放電電極１が屈曲している点が第２実施形態と異なる。以下では、主に、第２実施形態と異なる点を説明する。
【００５４】
図６に示すように、第１放電電極１は、先端部１ａと、先端側部分１ｂとに加えて、中途部１ｃと、基端側部分１ｄとをさらに有する。中途部１ｃは、第１放電電極１のうち先端部１ａと支持部３との間に位置する部分を示す。基端側部分１ｄは、第１放電電極１のうち中途部１ｃよりも支持部３側に位置する部分を示す。
【００５５】
取付面３ａに対する基端側部分１ｄの延びる方向の傾斜角度θ２は、略直角である。
【００５６】
第１放電電極１は、中途部１ｃで屈曲する。第１放電電極１のうち中途部１ｃよりも先端部１ａ側には、先端側部分１ｂが位置する。以上のように構成することで、第１実施形態の第１放電電極１と同様の効果を得ることができる。
【００５７】
［第４実施形態］
図７（ａ）及び図７（ｂ）を参照して、第４実施形態の放電装置１００について説明する。図７（ａ）は、第４実施形態の放電装置１００を示す側面図である。図７（ｂ）は、第１放電電極１の先端部１ａの拡大図である。
【００５８】
第４実施形態では、第１放電電極１が屈曲していない点が第３実施形態と異なる。また、第４実施形態では、先端部１ａの形状が第３実施形態と異なる。第４実施形態では、第１放電電極１の延びる方向に対して、先端部１ａが、第１端部から第２端部に向かって斜めに傾斜している。第１端部は、先端部１ａのうち、垂直方向の一方側の端部を示す。第２端部は、先端部１ａのうち、垂直方向の他方側の端部を示す。垂直方向は、第１放電電極１の延びる方向に対して垂直な方向を示す。以下では、主に、第３実施形態と異なる点を説明する。
【００５９】
図７（ａ）及び図７（ｂ）に示すように、第１放電電極１がストレート形状を有する。取付面３ａに対する第１放電電極１の延びる方向の傾斜角度θ３が、略直角である。
【００６０】
図７（ｂ）に示すように、仮想線Ｂに対する先端部１ａの傾斜角度θ４は、鋭角である。傾斜角度θ４は、本発明の取付面に対する放電電極の先端部の傾斜角度の一例である。この場合、第１放電電極１が放電する際、第１放電電極１の先端部１ａから正イオンが放出される。さらに、第１放電電極１が放電する際、第１放電電極１の先端部１ａから、第２所定方向Ｃ２に指向性を有する第１放電音が放出される。第２所定方向Ｃ２は、取付面３ａに対して鋭角に傾斜しつつ、先端部１ａから離間する方向を示す。以上のように構成することで、第１実施形態の第１放電電極１（図４参照）と同様の効果を得ることができる。
【００６１】
［第５実施形態］
次に、図８を参照して、放電装置１００の設置構造Ｘについて説明する。図８は、放電装置１００の設置構造Ｘを示す側面図である。
【００６２】
第５実施形態では、第１実施形態の放電装置１００（図１参照）の設置構造Ｘについて説明する。なお、放電装置１００の設置構造Ｘにおいて、放電装置１００が設置される場所は、例えば、室内に通じるダクトの内部、又は空気清浄機の筐体内に設けられる排出風路である。排出風路は、空気清浄機の筐体内から空気清浄機の外部に排出される空気が流れる風路である。第５実施形態では、放電装置１００がダクトの内部に設置されたときの放電装置１００の設置構造Ｘを説明する。
【００６３】
図８に示すように、放電装置１００は、風路部５０に設置される。風路部５０は、第１実施形態の被設置部材Ａ（図４参照）の一例である。
【００６４】
風路部５０は、管状の部材である。風路部５０は、例えば、空調用のダクトである。風路部５０は、内部５１と、入口部５２と、出口部５３と、内面５４とを有する。
【００６５】
風路部５０の内部５１は、風路部５０の内面５４で囲まれた空所である。入口部５２及び出口部５３の各々は、風路部５０に形成された開口である。入口部５２及び出口部５３の各々は、風路部５０の内部５１と、風路部５０の外部とを連通する。
【００６６】
風路部５０の内部５１は、風路方向Ｇに延びる形状を有する。風路方向Ｇは、風路部５０の内部５１において、入口部５２から出口部５３に向かう方向を示す。第５実施形態では、風路方向Ｇは、取付面３ａに対して略平行である。
【００６７】
風路方向Ｇは、出口部側Ｇ１と、入口部側Ｇ２とを含む。出口部側Ｇ１は、風路方向Ｇのうち出口部５３に向かう方向側を示す。入口部側Ｇ２は、風路方向Ｇのうち入口部５２に向かう方向側を示す。
【００６８】
入口部５２には、送風部６０が設けられる。送風部６０は、例えば、送風ファンを含む。出口部５３は、例えば、室内７０の壁面７１に形成される。室内７０は、出口部５３を介して風路部５０の内部５１と連通する。
【００６９】
送風部６０は、入口部５２を介して風路部５０の内部５１に風を供給する。風路部５０の内部５１に供給された風は、出口部５３に向かって流れる。出口部５３に向かって流れた風は、出口部５３を介して室内７０に流入する。なお、室内７０は、第１実施形態の下流場所Ｅ（図４参照）の一例である。また、風路部５０は、本発明のダクトの一例である。また、室内７０は、本発明の所定空間の一例である。
【００７０】
支持部３の取付面３ａは、風路部５０の内面５４に取り付けられる。取付面３ａが内面５４に取り付けられた状態で、取付面３ａが内面５４に略平行に対向する。
【００７１】
取付面３ａが内面５４に取り付けられることで、放電装置１００が風路部５０に設置される。
【００７２】
第１放電電極１の先端側部分１ｂは、風路方向Ｇの入口部側Ｇ２に突出する。従って、室内７０に向けて正イオンを風で送出しつつ、室内７０において、第１放電音の音量を抑制することができる。なお、先端側部分１ｂが風路方向Ｇの入口部側Ｇ２に突出することは、言い換えれば、風路方向Ｇに対する先端側部分１ｂの延びる方向の傾斜角度θ５が鈍角であることを示す。
【００７３】
以上、図８を参照して説明したように、放電装置１００が、室内７０に送風するための風路部５０の内部５１に設置される。従って、傾斜角度θ５が鈍角なるように、風路部５０の内部５１に放電装置１００が設置されることで、室内７０に向けて正イオンを風で送出しつつ、室内７０において、第１放電音の音量を抑制することができる。
【００７４】
本願の発明者は、図８に示す設置構造Ｘのように放電装置１００を設置して実験を行った。発明者は、出口部５３から室内７０側に５０ｃｍ離れ、かつ、出口部５３から下方向に５０ｃｍ離れた場所で、放電装置１００からの放電音を計測した。傾斜角度θ１が９０°のとき、放電音が２５．７ｄｂであった。これに対し、傾斜角度θ１が８０°のとき、放電音が２３．３ｄｂであった。その結果、設置構造Ｘのように傾斜角度θ１を鋭角にすることで、放電音が低減する実験結果が得られた。
【００７５】
なお、風路方向Ｇにおいて、第１放電電極１の先端部１ａが支持部３と重ならないように放電装置１００が設置されてもよい。すなわち、支持部３の上端部３ｂよりも図８の紙面上方に先端部１ａを配置する。従って、正イオンが風路方向Ｇに流れる風で送出される際、正イオンが支持部３に接触することで正イオンが消失することを抑制できる。さらに、第１放電音を内面５４で反射させて入口部５２側に送ることで、室内７０において、第１放電音の音量を抑制することができる。
【００７６】
また、放電装置１００の設置構造Ｘにおいて、第１実施形態の放電装置１００（図１参照）に代えて、第２実施形態の放電装置１００（図５参照）、第３実施形態の放電装置１００（図６参照）、及び第４実施形態の放電装置１００（図７参照）のうちのいずれかを風路部５０に設置してもよい。
【００７７】
以上、図面（図１〜図８）を参照しながら本発明の実施形態について説明した。但し、本発明は、上記の実施形態に限られるものではなく、その要旨を逸脱しない範囲で種々の態様において実施することが可能である（例えば、（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００７８】
（１）第１実施形態から第４実施形態において、第１放電電極１は、複数の放電電極を含むブラシ状の形状を有していてもよい。この場合、第１実施形態から第３実施形態において、複数の放電電極の各々の先端側部分の傾斜角度θ１が、鋭角になる（図４、図５、及び図６参照）。また、この場合、第４実施形態において、複数の放電電極の各々の先端部の傾斜角度θ４が、鋭角になる（図７（ｂ）参照）。
【００７９】
（２）第１実施形態から第５実施形態では、放電装置１００は、正イオンと負イオンとを放出する。しかし、放電装置１００は、正イオンと負イオンとのうちの少なくとも１つを放出すればよい。つまり、放電装置１００は、第１放電電極１及び第２放電電極２のうちの少なくとも１つを備えていればよい。なお、本発明では、放電電極から放出される物質は、イオンに限定されない。
【００８０】
（３）図９を参照して、放電装置１００の設置構造Ｘの変形例について説明する。図９は、図８に示す放電装置１００の設置構造Ｘの変形例を示す図である。
【００８１】
図８において、支持部３は、筐体３１と、介在部材３２とを有する。しかし、本発明はこれに限定されない。図９に示すように、支持部３は、介在部材３２を有しておらず、筐体３１のみで構成されてもよい。図９に示すように、第１放電電極１はストレート形状を有する。取付面３ａに対する第１放電電極１の延びる方向の傾斜角度θ３（図７参照）が、略直角である。放電装置１００が風路部５０に設置される際、傾斜角度θ５が鈍角になるように支持部３が風路部５０に取り付けられる。第４実施形態では、取付面３ａが冶具Ｈを介して風路部５０に取り付けられることで、傾斜角度θ５が鈍角になる。
【００８２】
（４）支持部３が、変更機構を備えていてもよい。変更機構は、風路部５０に対する筐体３１の傾斜角度θ６（図９参照）を変更する。その結果、第１放電電極１を所望の角度に傾斜させることが可能になる。
【００８３】
（５）第１実施形態から第４実施形態の放電装置１００を、空気清浄機のような空気調和機に設けてもよい。具体的には、空気調和機のうちイオンを生成及び排出するダクトに、第１実施形態から第４実施形態の放電装置１００を設ける。
【産業上の利用可能性】
【００８４】
本発明は、放電装置、放電装置の設置構造、及び放電装置の設置方法の分野に利用可能である。
【符号の説明】
【００８５】
１      第１放電電極（放電電極）
１ａ    先端部
１ｂ    先端側部分
２      第２放電電極（放電電極）
３      支持部
３ａ    取付面
５０    風路部
５１    内部
５２    入口部
５３    出口部
１００  放電装置
Ａ      被設置部材
Ｇ      風路方向
Ｇ１    出口部側
Ｇ２    入口部側
θ１    第１傾斜角度（傾斜角度）
θ４    第４傾斜角度（先端部の傾斜角度）
【図１】
2019212380.tif 000003
【図２】
2019212380.tif 000004
【図３】
2019212380.tif 000005
【図４】
2019212380.tif 000006
【図５】
2019212380.tif 000007
【図６】
2019212380.tif 000008
【図７】
2019212380.tif 000009
【図８】
2019212380.tif 000010
【図９】
2019212380.tif 000011